【手続補正書】
【提出日】平成29年10月26日(2017.10.26)
【手続補正１】
【補正対象書類名】特許請求の範囲
【補正対象項目名】全文
【補正方法】変更
【補正の内容】
【特許請求の範囲】
【請求項１】
モノのインターネット(IoT)通知を経路指定するための方法であって、
個人IoT環境内の1つまたは複数のIoTデバイスから、1人または複数のユーザに関連する検出されたアクティビティまたは検出された近接度を示す1つまたは複数のメッセージ、動作、または応答を受信するステップと、
前記1人または複数のユーザに関連する前記検出されたアクティビティまたは前記検出された近接度を示す前記1つまたは複数のメッセージ、動作、または応答からユーザアクティビティおよび近接度トレールを確立するステップと、
前記個人IoT環境内の第2のIoTデバイスが1つまたは複数の通知を報告したことに応答して、確率的判定に基づくとともに前記確立されたユーザアクティビティおよび近接度トレールに基づいて、前記1人または複数のユーザのうちの少なくとも1人に近接して位置する前記個人IoT環境内の第1のIoTデバイスを特定するステップと、
前記1つまたは複数の通知を前記第1のIoTデバイスに経路指定するステップとを含む方法。
【請求項２】
前記1つまたは複数のメッセージ、動作、または応答は、前記少なくとも1人のユーザがIoTデバイスと直接的または間接的に相互作用したアクティブ相互作用を示す、請求項1に記載の方法。
【請求項３】
前記1つまたは複数のメッセージ、動作、または応答は、前記少なくとも1人のユーザがIoTデバイスと直接的または間接的に相互作用することなくIoTデバイスに近接する位置において検出されたパッシブ相互作用を示す、請求項1に記載の方法。
【請求項４】
前記1つまたは複数のメッセージ、動作、または応答は、前記少なくとも1人のユーザが実行した検出されたアクティビティまたは前記少なくとも1人のユーザに近接する位置において検出された1つまたは複数のIoTデバイスを示す、請求項1に記載の方法。
【請求項５】
前記第1のIoTデバイスは、前記少なくとも1人のユーザに関連する検出されたアクティビティまたは検出された近接度を示すメッセージを直近に報告した前記個人IoT環境内の1つまたは複数のIoTデバイスのうちの1つを含む、請求項1に記載の方法。
【請求項６】
前記1つまたは複数の通知を前記第1のIoTデバイスに経路指定するステップは、前記1つまたは複数の通知を前記第1のIoTデバイスが処理し提示することができるフォーマットに変換するステップを含む、請求項1に記載の方法。
【請求項７】
1つまたは複数の規則に従って、前記アクティビティおよび近接度トレールから得られる前記検出されたアクティビティまたは前記検出された近接度を有効期限切れとして無効化するステップをさらに含む、請求項1に記載の方法。
【請求項８】
前記1つまたは複数の通知に関連する重大度またはクリティカリティレベルを判定するステップと、
前記ユーザアクティビティおよび近接度トレールに基づいて前記1つまたは複数の通知を報告した前記第2のIoTデバイスに関連付けられたローカル近接クラウドに存在する1人または複数のユーザを特定するステップと、
前記判定された重大度またはクリティカリティレベルと前記ローカル近接クラウドに存在する前記1人または複数のユーザとの組合せに基づいて前記1つまたは複数の通知を経路指定するステップとをさらに含む、請求項1に記載の方法。
【請求項９】
前記1つまたは複数の通知を経路指定するステップは、
前記1つまたは複数の通知が高い重大度またはクリティカリティレベルを有すると判定したことに応答して、前記1つまたは複数の通知を報告した前記第2のIoTデバイスの外部の近接クラウドに前記1つまたは複数の通知を経路指定するステップをさらに含む、請求項8に記載の方法。
【請求項１０】
前記1つまたは複数の通知を経路指定するステップは、
前記1つまたは複数の通知が高い重大度またはクリティカリティレベルを有しないと判定したことに応答して、前記ローカル近接クラウド内で前記1つまたは複数の通知を経路指定するステップと、
前記1つまたは複数の通知に肯定応答するメッセージが、前記1つまたは複数の通知に関連する生存時間が満了する前に受信されなかったと判定したことに応答して、前記1つまたは複数の通知を報告した前記第2のIoTデバイスの外部の近接クラウドに前記1つまたは複数の通知を経路指定するステップとをさらに含む、請求項8に記載の方法。
【請求項１１】
前記1つまたは複数の通知を経路指定するステップは、
前記ローカル近接クラウドに存在する1人または複数のユーザがユーザ階層において低いランクを有すると判定したことに応答して、前記1つまたは複数の通知を報告した前記第2のIoTデバイスの外部の近接クラウドに前記1つまたは複数の通知を経路指定するステップをさらに含む、請求項8に記載の方法。
【請求項１２】
前記ユーザアクティビティおよび近接度トレールに基づいて前記判定された重大度またはクリティカリティレベルとユーザコンテキスト情報との組合せに従って前記1つまたは複数の通知を受信すべきIoTデバイスの数を確認するステップをさらに含む、請求項8に記載の方法。
【請求項１３】
前記1つまたは複数の通知に肯定応答するメッセージを受信するステップと、
前記1つまたは複数の通知に肯定応答する前記メッセージに従って前記ユーザアクティビティおよび近接度トレールを更新するステップとをさらに含む、請求項1に記載の方法。
【請求項１４】
個人IoT環境内の1つまたは複数のモノのインターネット(IoT)デバイスから、1人または複数のユーザに関連する検出されたアクティビティまたは検出された近接度を示す1つまたは複数のメッセージ、動作、または応答を受信するための手段と、
前記1人または複数のユーザに関連する前記検出されたアクティビティまたは前記検出された近接度を示す前記1つまたは複数のメッセージ、動作、または応答からユーザアクティビティおよび近接度トレールを確立するための手段と、
前記個人IoT環境内の第2のIoTデバイスが1つまたは複数の通知を報告したことに応答して、確率的判定に基づくとともに前記確立されたユーザアクティビティおよび近接度トレールに基づいて、前記1人または複数のユーザのうちの少なくとも1人に近接して位置する前記個人IoT環境内の第1のIoTデバイスを特定するための手段と、
前記1つまたは複数の通知を前記第1のIoTデバイスに経路指定するための手段とを備える装置。
【請求項１５】
モノのインターネット(IoT)通知を経路指定するためのコンピュータ実行可能命令が記録されたコンピュータ可読記憶媒体であって、前記コンピュータ実行可能命令をプロセッサ上で実行することによって、前記プロセッサは、
個人IoT環境内の1つまたは複数のIoTデバイスから、1人または複数のユーザに関連する検出されたアクティビティまたは検出された近接度を示す1つまたは複数のメッセージ、動作、または応答を受信することと、
前記1人または複数のユーザに関連する前記検出されたアクティビティまたは前記検出された近接度を示す前記1つまたは複数のメッセージ、動作、または応答からユーザアクティビティおよび近接度トレールを確立することと、
前記個人IoT環境内の第2のIoTデバイスが1つまたは複数の通知を報告したことに応答して、確率的判定に基づくとともに前記確立されたユーザアクティビティおよび近接度トレールに基づいて、前記1人または複数のユーザのうちの少なくとも1人に近接して位置する前記個人IoT環境内の第1のIoTデバイスを特定することと、
前記1つまたは複数の通知を前記第1のIoTデバイスに経路指定することとを行うコンピュータ可読記憶媒体。